【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
乾燥遮蔽キャニスタを移動させるための移動システムであって、前記システムは、
安定化部分と、
前記安定化部分と係合されたキャニスタ支持部分と
を備え、
前記キャニスタ支持部分は、前記安定化部分に対する、前記キャニスタ支持部分の延在位置と前記キャニスタ支持部分の後退位置との間の側方向移動のために構成されており、前記キャニスタ支持部分は、前記キャニスタ支持部分の延在位置にあるときに前記安定化部分から延在し、前記キャニスタ支持部分は、キャニスタを支持および移動させるためのローラインターフェースを含み、前記ローラインターフェースは、前記キャニスタ支持部分に対する、少なくとも前記ローラインターフェースの延在位置と後退位置との間の移動のために構成され、前記ローラインターフェースは、前記ローラインターフェースの延在位置にあるときに前記キャニスタと係合可能あるように構成され、前記ローラインターフェースの後退位置にあるときに前記キャニスタから後退されるように構成され、前記ローラインターフェースは、少なくとも２つの離間されたローラ表面を含み、それぞれが、前記キャニスタの外側表面に接線方向であるように配向されている、システム。
【請求項２】
前記キャニスタ支持部分は、前記安定化部分と摺動的に係合されている、請求項１に記載のシステム。
【請求項３】
前記ローラインターフェースは、複数のローラレールを含む、請求項１または２に記載のシステム。
【請求項４】
前記ローラレールは、複数のローラを含む、請求項３に記載のシステム。
【請求項５】
前記ローラレールは、延在および後退位置における配向のために構成可能である、請求項３または４に記載のシステム。
【請求項６】
前記ローラレールは、格納位置における配向のために構成可能である、請求項３−５のいずれかに記載のシステム。
【請求項７】
前記ローラレールは、平行移動または回転移動もしくは両方のために構成可能である、請求項３−６のいずれかに記載のシステム。
【請求項８】
前記安定化部分が結合されている支持車両をさらに備える、請求項７に記載のシステム。
【請求項９】
前記ローラレール上で移動するにつれて前記キャニスタを検査するように適合されている、キャニスタ検査手段をさらに備える、請求項７に記載のシステム。
【請求項１０】
キャニスタ検査システムをさらに備える、請求項１−９のいずれかに記載のシステム。
【請求項１１】
前記安定化部分は、水平貯蔵モジュール（ＨＳＭ）である、請求項１および３−５のいずれかに記載のシステム。
【請求項１２】
前記キャニスタ支持部分は、水平貯蔵モジュール（ＨＳＭ）に結合されている、請求項１、３−５、および１１のいずれかに記載のシステム。
【請求項１３】
前記ローラレールは、カムシステムを使用して延在配向に構成可能である、請求項５に記載のシステム。
【請求項１４】
水平貯蔵モジュール（ＨＳＭ）の中にまたはその中から外へ乾燥遮蔽キャニスタを移動させる方法であって、前記方法は、
安定化部分と係合されたキャニスタ支持部分を前記安定化部分に対して前記キャニスタ支持部分の後退位置から前記キャニスタ支持部分の延在位置に側方向に移動させ、水平貯蔵モジュール内に延在させることであって、前記キャニスタ支持部分は、前記キャニスタ支持部分の延在位置にあるときに前記安定化部分から延在し、前記キャニスタ支持部分は、ローラインターフェースを含む、ことと、
前記キャニスタ支持部分に対する前記ローラインターフェースの後退位置から前記キャニスタ支持部分に対する前記ローラインターフェースの延在位置に前記ローラインターフェースを移動させ、前記キャニスタと係合することであって、前記ローラインターフェースは、少なくとも２つの離間されたローラ表面を含み、それぞれが、前記キャニスタの外側表面に接線方向であるように配向されている、ことと、
前記ローラインターフェースに沿って前記水平貯蔵モジュールの中にまたはその中から外へ前記キャニスタを移動させることと
を含む、方法。
【請求項１５】
平行移動または回転してもしくは両方で前記キャニスタを移動させることをさらに含む、請求項１４に記載の方法。
【請求項１６】
前記キャニスタは、水平貯蔵モジュール内にある間、回転して移動される、請求項１５に記載の方法。
【請求項１７】
前記キャニスタを移動させた後、前記ローラインターフェースを後退させることをさらに含む、請求項１５に記載の方法。
【請求項１８】
安定化部分と係合されたキャニスタ支持部分を後退位置から延在位置に移動させることをさらに含む、請求項１４に記載の方法。
【請求項１９】
前記ローラインターフェースを後退させた後、前記キャニスタ支持部分を後退させることをさらに含む、請求項１８に記載の方法。
【請求項２０】
前記キャニスタを移動させる間、前記キャニスタを検査することをさらに含む、請求項１４に記載の方法。
【請求項２１】
ローラインターフェースを後退位置から延在位置に移動させ、前記キャニスタと係合することは、カムシステムを使用することを含む、請求項１４に記載の方法。
【請求項２２】
乾燥遮蔽キャニスタを移動させるための水平輸送システムであって、前記システムは、
安定化部分と、
前記安定化部分と係合されたキャニスタ支持部分と
を備え、
前記キャニスタ支持部分は、前記安定化部分に対する、前記キャニスタ支持部分の延在位置と前記キャニスタ支持部分の後退位置との間の側方向平行移動のために構成されており、前記キャニスタ支持部分は、前記キャニスタ支持部分の延在位置にあるときに前記安定化部分から延在し、前記キャニスタ支持部分は、キャニスタを支持および移動させるためのローラインターフェースを含み、前記ローラインターフェースは、前記キャニスタ支持部分に対する、少なくとも前記ローラインターフェースの延在位置と後退位置との間の垂直移動のために構成され、前記ローラインターフェースは、前記ローラインターフェースの延在位置にあるときに前記キャニスタと係合可能あるように構成され、前記ローラインターフェースの後退位置にあるときに前記キャニスタから後退されるように構成されている、システム。
【請求項２３】
乾燥遮蔽キャニスタを移動させる方法であって、前記方法は、
安定化部分と係合されたキャニスタ支持部分を前記安定化部分に対して前記キャニスタ支持部分の後退位置から前記キャニスタ支持部分の延在位置に側方向に移動させることであって、前記キャニスタ支持部分は、前記キャニスタ支持部分の延在位置にあるときに前記安定化部分から延在し、前記キャニスタ支持部分は、ローラインターフェースを含む、ことと、
少なくとも垂直方向において、前記キャニスタ支持部分に対する前記ローラインターフェースの後退位置から前記キャニスタ支持部分に対する前記ローラインターフェースの延在位置に前記ローラインターフェースを移動させ、前記キャニスタと係合することと、
前記ローラインターフェースに沿って前記キャニスタを移動させることと
を含む、方法。
【手続補正２】
【補正対象書類名】明細書
【補正対象項目名】００２８
【補正方法】変更
【補正の内容】
【００２８】
本明細書に説明される実施形態のいずれかでは、キャニスタを移動させる方法は、カムシステムを使用して、ローラインターフェースを後退位置から延在位置に移動させ、キャニスタと係合することを含んでもよい。
本願明細書は、例えば、以下の項目も提供する。
（項目１）
乾燥遮蔽キャニスタを移動させるための移動システムであって、前記システムは、
安定化部分と、
前記安定化部分と係合され、延在位置と後退位置との間の移動のために構成されている、キャニスタ支持部分であって、前記キャニスタ支持部分は、キャニスタを支持および移動させるためのローラインターフェースを含む、キャニスタ支持部分と
を備える、システム。
（項目２）
前記キャニスタ支持部分は、前記安定化部分と摺動的に係合されている、項目１に記載のシステム。
（項目３）
前記ローラインターフェースは、複数のローラレールを含む、項目１または２に記載のシステム。
（項目４）
前記ローラレールは、複数のローラを含む、項目３に記載のシステム。
（項目５）
前記ローラレールは、延在および後退位置における配向のために構成可能である、項目３または４に記載のシステム。
（項目６）
前記ローラレールは、格納位置における配向のために構成可能である、項目３−５のいずれかに記載のシステム。
（項目７）
前記ローラレールは、平行移動または回転移動もしくは両方のために構成可能である、項目３−６のいずれかに記載のシステム。
（項目８）
前記安定化部分が結合されている支持車両をさらに備える、項目７に記載のシステム。
（項目９）
前記ローラレール上で移動するにつれて前記キャニスタを検査するように適合されている、キャニスタ検査手段をさらに備える、項目７に記載のシステム。
（項目１０）
キャニスタ検査システムをさらに備える、項目１−９に記載のシステム。
（項目１１）
前記安定化部分は、水平貯蔵モジュール（ＨＳＭ）である、項目１および３−５に記載のシステム。
（項目１２）
前記キャニスタ支持部分は、水平貯蔵モジュール（ＨＳＭ）に結合されている、項目１、３−５、および１１に記載のシステム。
（項目１３）
前記ローラレールは、カムシステムを使用して延在配向に構成可能である、項目５に記載のシステム。
（項目１４）
乾燥遮蔽キャニスタを移動させる方法であって、前記方法は、
ローラインターフェースを後退位置から延在位置に移動させ、前記キャニスタと係合することと、
前記キャニスタを移動させることと
を含む、方法。
（項目１５）
平行移動または回転してもしくは両方で前記キャニスタを移動させることをさらに含む、項目１４に記載の方法。
（項目１６）
前記キャニスタは、水平貯蔵モジュール内にある間、回転して移動される、項目１５に記載の方法。
（項目１７）
前記キャニスタを移動させた後、前記ローラインターフェースを後退させることをさらに含む、項目１５に記載の方法。
（項目１８）
安定化部分と係合されたキャニスタ支持部分を後退位置から延在位置に移動させることをさらに含む、項目１４に記載の方法。
（項目１９）
前記ローラインターフェースを後退させた後、前記キャニスタ支持部分を後退させることをさらに含む、項目１８に記載の方法。
（項目２０）
前記キャニスタを移動させる間、前記キャニスタを検査することをさらに含む、項目１４に記載の方法。
（項目２１）
ローラインターフェースを後退位置から延在位置に移動させ、前記キャニスタと係合することは、カムシステムを使用することを含む、項目１４に記載の方法。
（項目２２）
乾燥遮蔽キャニスタを移動させるための移動システムであって、前記システムは、
安定化部分と、
前記安定化部分と係合され、延在位置と後退位置との間の平行移動のために構成されている、キャニスタ支持部分であって、前記キャニスタ支持部分は、キャニスタを支持および移動させるためのローラインターフェースを含む、キャニスタ支持部分と
を備える、システム。
（項目２３）
乾燥遮蔽キャニスタを移動させる方法であって、前記方法は、
安定化部分と係合されたキャニスタ支持部分を後退位置から延在位置に移動させることと、
ローラインターフェースを後退位置から延在位置に移動させ、前記キャニスタと係合することと、
前記キャニスタを移動させることと
を含む、方法。